(57)【特許請求の範囲】
【請求項１】
中腹部（３）底部に開口部（５）を形成し、
前方部（２）から後方部（４）の上部外面に亘って少なくとも二個以上の凸部［前方凸部（７ａ）、中腹凸部（７ｂ）、後方凸部（７ｃ）］を形成し、
前記後方部（４）底部に針カバーの長さ方向に沿ってスリット（９）を形成し、
前記後方部（４）の上部から前記後方凸部（７ｃ）に亘って溝（２２）を形成し、
当該溝（２２）は、針カバー後方の開口部（６）側に向けて広がるテーパー状に形成し、
前記後方凸部（７ｃ）の上部に切欠部（２２ａ）を形成し、当該切欠部（２２ａ）は、当該後方凸部（７ｃ）の上側に向けて広がるテーパー状に形成し、
前記後方部（４）の溝（２２）後方に位置する前記後方凸部（７ｃ）の内壁に、当該内壁から突出して対向するように、一対の突部（２３ａ、２３ｂ）を形成した針カバー（１）と、
針基（１３）の前方に針（１２）を植設し、両側部に翼（１４）を装着し、前方外周面に針キャップ（１６）を装着し、後方外周面にチューブ（１５）を装着することにより形成した翼付針（１０）とより構成され、
前記針カバー（１）の一対の突部（２３ａ、２３ｂ）の間隔は、前記翼付針（１０）のチューブ（１５）の外径よりも小さく形成され、
前記翼付針（１０）は、針カバー（１）の開口部（５）及びスリット（９）を経て針カバー（１）内に装着した状態では、針キャップ（１６）基部の外周面が前方部（２）内周面に接することにより固定されるとともに針（１２）が針キャップ（１６）に被冠された状態に維持され、針キャップ（１６）をはずすことにより、翼付針（１０）の針（１２）が露出され、
前記翼付針（１０）を針カバー（１）の後方部（４）方向にスライドさせることにより翼付針（１０）の針（１２）は針カバー（１）内に収納され、
前記チューブ（１５）を後方に引っ張りながら上に挙げ突部（２３ａ、２３ｂ）の間を通過させ溝（２２）に挟持して固定することにより、再び翼付針（１０）が針カバー（１）の前方部（２）方向にスライドすることがなく、翼付針（１０）の針（１２）が針カバー（１）より露出しない状態を維持できるように形成したことを特徴とする針カバー付翼付針（１Ａ）。
【請求項２】
中腹部（３）底部に開口部（５）を形成し、
前方部（２）から後方部（４）の上部外面に亘って少なくとも二個以上の凸部［前方凸部（７ａ）、中腹凸部（７ｂ）、後方凸部（７ｃ）］を形成し、
前記後方部（４）底部に針カバーの長さ方向に沿ってスリット（９）を形成し、
前記後方部（４）の上部から前記後方凸部（７ｃ）に亘って溝（２２）を形成し、
当該溝（２２）は、針カバー後方の開口部（６）側に向けて広がるテーパー状に形成し、
前記後方凸部（７ｃ）の上部に切欠部（２２ａ）を形成し、当該切欠部（２２ａ）は、当該後方凸部（７ｃ）の上側に向けて広がるテーパー状に形成し、
前記後方部（４）の溝（２２）後方に位置する前記後方凸部（７ｃ）の内壁に、当該内壁から突出して対向するように、一対の突部（２３ａ、２３ｂ）を形成し、
前記前方部（２）先端にキャップ（１８）を着脱可能に装着したキャップ付針カバー（７１）と、
針基（１３）の前方に針（１２）を植設し、両側部に翼（１４）を装着し、前方外周面に針キャップ（１６）を装着し、後方外周面にチューブ（１５）を装着することにより形成した翼付針（１０）とより構成され、
前記針カバー（７１）の一対の突部（２３ａ、２３ｂ）の間隔は、前記翼付針（１０）のチューブ（１５）の外径よりも小さく形成され、
前記翼付針（１０）はキャップ付針カバー（７１）の開口部（５）及びスリット（９）を経てキャップ付針カバー（７１）内に装着した状態では、針基（１３）前方外周面がキャップ付針カバー（７１）前方部（２）内周面と接することにより翼付針（１０）とキャップ付針カバー（７１）は固定されるとともに針（１２）がキャップ付針カバー（７１）に被冠された状態に維持され、
キャップ付針カバー（７１）のキャップ（１８）をはずすことにより、翼付針（１０）の針（１２）が露出され、
前記翼付針（１０）をキャップ付針カバー（７１）の後方部４方向にスライドさせることにより翼付針（１０）の針（１２）はキャップ付針カバー（７１）に収納され、
前記チューブ（１５）を後方に引っ張りながら上に挙げ突部（２３ａ、２３ｂ）の間を通過させ溝（２２）に挟持して固定することにより、
再び翼付針（１０）がキャップ付針カバー（７１）の前方部（２）方向にスライドすることがなく、翼付針（１０）の針（１２）がキャップ付針カバー（７１）より露出しない状態を維持できるように形成したことを特徴とする針カバー付翼付針（２１Ａ）。
【請求項３】
中腹部（３）底部に開口部（５）を形成し、
前方部（２）から後方部（４）の上部外面に亘って少なくとも二個以上の凸部［前方凸部（７ａ）、中腹凸部（７ｂ）、後方凸部（７ｃ）］を形成し、
前記後方部（４）底部に針カバーの長さ方向に沿ってスリット（９）を形成し、
前記後方部（４）の上部から前記後方凸部（７ｃ）に亘って溝（２２）を形成し、
当該溝（２２）は、針カバー後方の開口部（６）側に向けて広がるテーパー状に形成し、
前記後方凸部（７ｃ）の上部に切欠部（２２ａ）を形成し、当該切欠部（２２ａ）は、当該後方凸部（７ｃ）の上側に向けて広がるテーパー状に形成し、
前記後方部（４）の溝（２２）後方に位置する前記後方凸部（７ｃ）の内壁に、当該内壁から突出して対向するように、一対の突部（２３ａ、２３ｂ）を形成し、
前記前方部（２）に肉薄部（２８ａ）を介してキャップ（２８）を一体に成形したキャップ付針カバー（８１）と、
針基（１３）の前方に針（１２）を植設し、両側部に翼（１４）を装着し、前方外周面に針キャップ（１６）を装着し、後方外周面にチューブ（１５）を装着することにより形成した翼付針（１０）とより構成され、
前記針カバー（８１）の一対の突部（２３ａ、２３ｂ）の間隔は、前記翼付針（１０）のチューブ（１５）の外径よりも小さく形成され、
前記翼付針（１０）はキャップ付針カバー（８１）の開口部（５）及びスリット（９）を経てキャップ付針カバー（８１）内に装着した状態では、針基（１３）前方外周面がキャップ付針カバー（８１）前方部（２）内周面と接することにより翼付針（１０）とキャップ付針カバー（８１）は固定されるとともに針（１２）がキャップ付針カバー（８１）に被冠された状態に維持され、
キャップ付針カバー（８１）のキャップ（２８）をはずすことにより、翼付針（１０）の針（１２）が露出され、
前記翼付針（１０）をキャップ付針カバー（８１）の後方部４方向にスライドさせることにより翼付針（１０）の針（１２）はキャップ付針カバー（８１）に収納され、
前記チューブ（１５）を後方に引っ張りながら上に挙げ突部（２３ａ、２３ｂ）の間を通過させ溝（２２）に挟持して固定することにより、
再び翼付針（１０）がキャップ付針カバー（８１）の前方部（２）方向にスライドすることがなく、翼付針（１０）の針（１２）がキャップ付針カバー（８１）より露出しない状態を維持できるように形成したことを特徴とする針カバー付翼付針（３１Ａ）。
【発明の詳細な説明】
【０００１】
【発明の属する技術分野】
本発明は透析や輸液に使用される翼付針（例えばＰＳＶ、ＡＶＦ等）、に装着する針カバー及びキャップ付針カバー並びに針カバー付翼付針の改良に関するもので、針の保護性、操作性、安全性を向上させた発明に関する。
【０００２】
【従来の技術及び発明が解決しようとする課題】
周知のように翼付針や採血針等の医療用針に装着する針キャップは、円筒形状またはテーパー付の円筒形状に形成され、針先の保護や前記医療用針を廃棄する時、安全のために再キャップをするために使用されている。しかしこれらの針キャップは廃棄するまでの問題点として、再び針に針キャップを取り付ける時、作業者の指を誤って刺したり、また針キャップを取り付けずに廃棄すれば血液が付着した針で、作業者が作業中に誤って刺してしまう危険性があった。
またアメリカ特許５，１１２，３１１号、５，４３３，７０３号、５，５６２，６３６号、５，５６２，６３７号には、針カバーの両側部に翼付針の両翼を固定するスリットを形成し、針の使用後、両翼をスリットの位置と形状にあわせてスライドして固定し、針を針カバー内に収納する発明が提案されている。しかしながら、これらの発明においても（１）針カバーを翼付針に装着する際の組み立て容易性と安定性、（２）針カバー付翼付針を患者に穿刺する時の操作性、（３）針の使用後に針カバーを被冠する時の操作性等についてさらに改良の余地があった。
特願２０００−１５４１２６号で本件出願人は、針カバーの中腹部の両側に翼状のストッパーを突設し、使用後の翼状針を前記針カバーに収納した後、前記翼状針の両翼部を上側に折り曲げることにより前記両翼はストッパーと交差して係止され翼状針が針カバーより突出しない発明を開示したが、翼状針の針基に近いチューブを引っ張り、翼状針を針カバーに収める時、チューブを引っ張った手を離して両翼部を上側に折り曲げなければならない。従ってチューブから手を離すことにより使用者の中にはストッパー機能を使わず廃棄したりすることが懸念され、針カバーから翼状針の針が再び突出して針先が露出し、廃棄の際の医療従事者や廃棄企業者が作業中に誤って刺してしまうことが懸念される。
また翼状針の両翼部を上側に折り曲げてストッパーに係止しなければならないので操作が煩わしいとの指摘もあった。
そこで本発明者は以上の課題を解決するために鋭意検討を重ねた結果次の発明に到達した。
【０００３】
【課題を解決するための手段】
［１］本発明は、中腹部（３）底部に開口部（５）を形成し、
前方部（２）から後方部（４）の上部外面に亘って少なくとも二個以上の凸部［前方凸部（７ａ）、中腹凸部（７ｂ）、後方凸部（７ｃ）］を形成し、
前記後方部（４）底部に針カバーの長さ方向に沿ってスリット（９）を形成し、
前記後方部（４）の上部から前記後方凸部（７ｃ）に亘って溝（２２）を形成し、
当該溝（２２）は、針カバー後方の開口部（６）側に向けて広がるテーパー状に形成し、
前記後方凸部（７ｃ）の上部に切欠部（２２ａ）を形成し、当該切欠部（２２ａ）は、当該後方凸部（７ｃ）の上側に向けて広がるテーパー状に形成し、
前記後方部（４）の溝（２２）後方に位置する前記後方凸部（７ｃ）の内壁に、当該内壁から突出して対向するように、一対の突部（２３ａ、２３ｂ）を形成した針カバー（１）と、
針基（１３）の前方に針（１２）を植設し、両側部に翼（１４）を装着し、前方外周面に針キャップ（１６）を装着し、後方外周面にチューブ（１５）を装着することにより形成した翼付針（１０）とより構成され、
前記針カバー（１）の一対の突部（２３ａ、２３ｂ）の間隔は、前記翼付針（１０）のチューブ（１５）の外径よりも小さく形成され、
前記翼付針（１０）は、針カバー（１）の開口部（５）及びスリット（９）を経て針カバー（１）内に装着した状態では、針キャップ（１６）基部の外周面が前方部（２）内周面に接することにより固定されるとともに針（１２）が針キャップ（１６）に被冠された状態に維持され、針キャップ（１６）をはずすことにより、翼付針（１０）の針（１２）が露出され、
前記翼付針（１０）を針カバー（１）の後方部（４）方向にスライドさせることにより翼付針（１０）の針（１２）は針カバー（１）内に収納され、
前記チューブ（１５）を後方に引っ張りながら上に挙げ突部（２３ａ、２３ｂ）の間を通過させ溝（２２）に挟持して固定することにより、再び翼付針（１０）が針カバー（１）の前方部（２）方向にスライドすることがなく、翼付針（１０）の針（１２）が針カバー（１）より露出しない状態を維持できるように形成した針カバー付翼付針（１Ａ）を提供する。
［２］本発明は、中腹部（３）底部に開口部（５）を形成し、
前方部（２）から後方部（４）の上部外面に亘って少なくとも二個以上の凸部［前方凸部（７ａ）、中腹凸部（７ｂ）、後方凸部（７ｃ）］を形成し、
前記後方部（４）底部に針カバーの長さ方向に沿ってスリット（９）を形成し、
前記後方部（４）の上部から前記後方凸部（７ｃ）に亘って溝（２２）を形成し、
当該溝（２２）は、針カバー後方の開口部（６）側に向けて広がるテーパー状に形成し、
前記後方凸部（７ｃ）の上部に切欠部（２２ａ）を形成し、当該切欠部（２２ａ）は、当該後方凸部（７ｃ）の上側に向けて広がるテーパー状に形成し、
前記後方部（４）の溝（２２）後方に位置する前記後方凸部（７ｃ）の内壁に、当該内壁から突出して対向するように、一対の突部（２３ａ、２３ｂ）を形成し、
前記前方部（２）先端にキャップ（１８）を着脱可能に装着したキャップ付針カバー（７１）と、
針基（１３）の前方に針（１２）を植設し、両側部に翼（１４）を装着し、前方外周面に針キャップ（１６）を装着し、後方外周面にチューブ（１５）を装着することにより形成した翼付針（１０）とより構成され、
前記針カバー（７１）の一対の突部（２３ａ、２３ｂ）の間隔は、前記翼付針（１０）のチューブ（１５）の外径よりも小さく形成され、
前記翼付針（１０）はキャップ付針カバー（７１）の開口部（５）及びスリット（９）を経てキャップ付針カバー（７１）内に装着した状態では、針基（１３）前方外周面がキャップ付針カバー（７１）前方部（２）内周面と接することにより翼付針（１０）とキャップ付針カバー（７１）は固定されるとともに針（１２）がキャップ付針カバー（７１）に被冠された状態に維持され、
キャップ付針カバー（７１）のキャップ（１８）をはずすことにより、翼付針（１０）の針（１２）が露出され、
前記翼付針（１０）をキャップ付針カバー（７１）の後方部４方向にスライドさせることにより翼付針（１０）の針（１２）はキャップ付針カバー（７１）に収納され、
前記チューブ（１５）を後方に引っ張りながら上に挙げ突部（２３ａ、２３ｂ）の間を通過させ溝（２２）に挟持して固定することにより、
再び翼付針（１０）がキャップ付針カバー（７１）の前方部（２）方向にスライドすることがなく、翼付針（１０）の針（１２）がキャップ付針カバー（７１）より露出しない状態を維持できるように形成した針カバー付翼付針（２１Ａ）を提供する。
［３］本発明は、中腹部（３）底部に開口部（５）を形成し、
前方部（２）から後方部（４）の上部外面に亘って少なくとも二個以上の凸部［前方凸部（７ａ）、中腹凸部（７ｂ）、後方凸部（７ｃ）］を形成し、
前記後方部（４）底部に針カバーの長さ方向に沿ってスリット（９）を形成し、
前記後方部（４）の上部から前記後方凸部（７ｃ）に亘って溝（２２）を形成し、
当該溝（２２）は、針カバー後方の開口部（６）側に向けて広がるテーパー状に形成し、
前記後方凸部（７ｃ）の上部に切欠部（２２ａ）を形成し、当該切欠部（２２ａ）は、当該後方凸部（７ｃ）の上側に向けて広がるテーパー状に形成し、
前記後方部（４）の溝（２２）後方に位置する前記後方凸部（７ｃ）の内壁に、当該内壁から突出して対向するように、一対の突部（２３ａ、２３ｂ）を形成し、
前記前方部（２）に肉薄部（２８ａ）を介してキャップ（２８）を一体に成形したキャップ付針カバー（８１）と、
針基（１３）の前方に針（１２）を植設し、両側部に翼（１４）を装着し、前方外周面に針キャップ（１６）を装着し、後方外周面にチューブ（１５）を装着することにより形成した翼付針（１０）とより構成され、
前記針カバー（８１）の一対の突部（２３ａ、２３ｂ）の間隔は、前記翼付針（１０）のチューブ（１５）の外径よりも小さく形成され、
前記翼付針（１０）はキャップ付針カバー（８１）の開口部（５）及びスリット（９）を経てキャップ付針カバー（８１）内に装着した状態では、針基（１３）前方外周面がキャップ付針カバー（８１）前方部（２）内周面と接することにより翼付針（１０）とキャップ付針カバー（８１）は固定されるとともに針（１２）がキャップ付針カバー（８１）に被冠された状態に維持され、
キャップ付針カバー（８１）のキャップ（２８）をはずすことにより、翼付針（１０）の針（１２）が露出され、
前記翼付針（１０）をキャップ付針カバー（８１）の後方部４方向にスライドさせることにより翼付針（１０）の針（１２）はキャップ付針カバー（８１）に収納され、
前記チューブ（１５）を後方に引っ張りながら上に挙げ突部（２３ａ、２３ｂ）の間を通過させ溝（２２）に挟持して固定することにより、
再び翼付針（１０）がキャップ付針カバー（８１）の前方部（２）方向にスライドすることがなく、翼付針（１０）の針（１２）がキャップ付針カバー（８１）より露出しない状態を維持できるように形成した針カバー付翼付針（３１Ａ）を提供する。
【０００４】
【発明の実施の形態】
図１は本発明の針カバーの一例を示す概略図で（ａ）は本発明の針カバー１の正面斜視図、（ｂ）は背面斜視図、（ｃ）は同（ａ）を１８０°反対方向から見た斜視図、（ｄ）は同（ｂ）を１８０°反対方向から見た斜視図、図２は図１の針カバー１を翼付針１０（針基１３の前方に針１２を植設し、両側部に翼１４を装着し、前方外周面に針キャップ１６を装着し、後方外周面にチューブ１５を装着することにより形成されている）に装着したところの針カバー付翼付針１Ａの断面図、図３は針カバー付翼付針１Ａの使用方法の一例について（ａ）から（ｆ）を時系列に示した斜視図で、（ｆ１）は（ｆ）の円内（凸部７ｃ近傍）の拡大図である。
図２（ａ）と図３（ａ）、図２（ｂ）と図３（ｅ）、図２（ｄ）と図３（ｆ）がそれぞれ対応している。本発明の針カバー１は図１のように筒状に形成され、中腹部３底部に開口部５を形成し、前方部２と中腹部３と後方部４の上部外面にそれぞれ前方凸部７ａ、中腹凸部７ｂ、後方凸部７ｃ（以下単に凸部７ａ、７ｂ、７ｃと記載する）を形成し、前記中腹部３の両側部にストッパー８が突設されている。前記凸部７ａ、７ｂ、７ｃは図１と図２のように略四角形状でかつ板状に形成され、凸部７ｂを除いてその針カバー１の幅方向の断面は針カバー１の断面と実質的に同一ないし大きく形成することにより、作業者が指で把持しやすい形状となっている。後方部４底部には図１（ｂ）のように針カバー１の長さ方向に沿って翼付針１０のチューブ１５を挿通することのできるスリット９が形成されている。針カバー１の後方部４の上部から凸部７ｃに亘り溝２２が形成されている。前記凸部７ｃには切欠部２２ａが形成され、当該切欠部２２ａは、当該凸部７ｃの上側向けて広がる方向にテーパー状に形成されている。前記溝部２２は少なくともチューブ１５を挟持し固定できる幅に形成され、該溝部２２は入り口側（針カバー後方の開口部６側）に向けて広がる方向にテーパー状に形成されている。前記切欠部２２ａ及び/又は前記溝部２２をテーパー状に形成することにより、チューブ１５を溝２２に入れて挟持しやすくなる。さらに該溝２２の後方部に、対向する一対の突部２３ａ、２３ｂが形成されている。
さらに詳述すれば、図３（ｆ）、（ｆ１）に例示するように、後方部４の溝２２後方に位置する後方凸部７ｃの内壁に、当該内壁から突出して対向するように、一対の突部２３ａ、２３ｂが形成されている。
前記突部２３ａ、２３ｂは溝２２に挟持されたチューブ１５が外れて後方に出ないような形状、例えば板状（三角、四角、半円形）ひげ状に形成されている。前記突部２３ａ、２３ｂは少なくともチューブ１５がその間を通過しても割れたり折れたりしない弾性を有した材質で形成されている。チューブ１５が突部２３ａ、２３ｂを通過したことが作業者にわかるように該突部２３ａ、２３ｂの動きが振動や「パチン」という音として認知できるように、前記突部２３ａと２３ｂの間隔を狭くして、振動や音を発生するような形状や材料を工夫して使用することが好ましい。
【０００５】
次に針カバー１を翼付針１０に装着して針カバー付翼付針１Ａを組立てる方法の一例について説明する。
図１（ａ）の向きの針カバー１の下から翼付針１０の針１２と針基１３を開口部５を経て針カバー１の内部に収納するとともにチューブ１５をスリット９を経て後方部４に装着する。この状態では、図２（ａ）のように針キャップ１６基部の外周面が前方部２内周面に接することにより翼付針１０が針カバー１に固定されるとともに針１２が針キャップ１６に被冠された状態に維持される。
【０００６】
以下、図３（ａ）から（ｆ）に基づいて針カバー付翼付針１Ａの使用方法の一例について時系列に説明する。
同（ａ）のように針カバー付翼状針１Ａを針カバー１の凸部７ａ、７ｂ、７ｃを上に向けた状態にする。
同（ｂ）のように左手（右手）の親指と人差し指で凸部７ｃの両側部を軽くつまみ、右手（左手）の親指と人差し指で翼部１４の両翼を挟んで上に向けて両翼を重ね合わせる。
同（ｃ）のように針キャップ１６をはずして翼付針１０の針１２を針カバー１より露出する。
同（ｄ）のように右手（左手）の親指と人差し指で翼部１４の両翼を上に向けて両翼を重ね合わせた状態で体勢を整えて患者の腕等に穿刺する。
同（ｅ）のように患者の腕等に穿刺した後、翼部１４を水平に戻して穿刺部位が動かないように翼部１４と皮膚をテープで固定する。
同（ｆ）のように穿刺した針カバー付翼付針１Ａの針１２を穿刺部から抜く時はテープを剥ぎ取り穿刺部に消毒綿をあて、左手（右手）の薬指で前記消毒綿の上から穿刺部を押さえるとともに中指と人差し指を凸部７ａと凸部７ｂないし凸部７ｂと凸部７ｃの間の壁面に添えて凸部７ａ、７ｂがそれぞれの指先に掛かるようにし、例えば図２（ｃ）のように右手（左手）で後方部４付近のチューブ１５を引っ張り翼状針１０を針カバー１０に収めた後、前記チューブ１５を引っ張ったまま上にあげ、突部２３ａと２３ｂの間を通して溝部２２に固定する。
【０００７】
図４は本発明のキャップ付針カバーの一例を示す概略図で（ａ）は本発明のキャップ付針カバー７１の正面斜視図、（ｂ）は背面斜視図、（ｃ）は同（ａ）を１８０°反対方向から見た斜視図、（ｄ）は同（ｂ）を１８０°反対方向から見た斜視図、図５は図４のキャップ付針カバー７１を翼付針１０（針基１３の前方に針１２を植設し、両側部に翼１４を装着し、後方外周面にチューブ１５を装着することにより形成されている）に装着したところの針カバー付翼付針２１Ａの断面図、図６は針カバー付翼付針２１Ａの使用方法の一例について（ａ）から（ｆ）を時系列に示した斜視図である。（ｆ１）は（ｆ）の円内（凸部７ｃ近傍）の拡大図である。図５（ａ）と図６（ａ）、図５（ｂ）と図６（ｅ）、図５（ｃ）と図６（ｆ）がそれぞれ対応している。
本発明のキャップ付針カバー７１は前記針カバー１の前方部２の筒状先端にキャップ１８を着脱可能に装着したものである。キャップ付針カバー７１も針カバー１と同様に翼付針１０に装着して針カバー付翼付針２１Ａを組み立てることができる。組み立てた状態では図５（ａ）のように針基１３前方外周面がキャップ付針カバー７１前方部２内周面と接することにより翼付針１０とキャップ付針カバー７１は固定されるとともに針１２がキャップ付針カバー７１に被冠された状態に維持される。針カバー付翼付針２１Ａも図６（ａ）から（ｆ）のように前記キャップ付針カバー１Ａと同様に使用されるが、針カバー付翼付針２１Ａは図６（ｃ）のようにキャップ１８をはずして翼付針１０の針１２をキャップつき針カバー７１より露出する点で針カバー付翼付針１Ａと異なる。
【０００８】
図７は本発明のキャップ付針カバーの一例を示す概略図で、（ａ）は本発明のキャップ付針カバー８１の正面斜視図、（ｂ）は背面斜視図、（ｃ）は同（ａ）を１８０°反対方向から見た斜視図、（ｄ）は同（ｂ）を１８０°反対方向から見た斜視図である。
図８は本発明のその他の実施例を示すキャップ付針カバー８１を翼付針１０に装着したところの針カバー付翼付針３１Ａの断面図、図９は針カバー付翼付針３１Ａの使用方法の一例について時系列に示した斜視図である。図８（ａ）と図９（ａ）、図８（ｂ）と図９（ｅ）がそれぞれ対応している。
本発明のキャップ付針カバー８１は前記針カバー１の前方部２の筒状先端に肉薄部２８ａを介してキャップ２８を一体に成形したものである。一体に形成されたキャップ２８を容易に切り離すために前記キャップ２８の外周には少なくとも対称方向に２枚一組のリブ（図示せず）を設けることができる。キャップ付針カバー８１もキャップ付針カバー７１と同様に翼付針１０に装着して針カバー付翼付針３１Ａを組み立てることができる。針カバー付翼付針３１Ａも図９（ａ）から（ｆ）のように前記針カバー付翼付針２１Ａと同様に使用されるが、針カバー付翼付針３１Ａは図９（ｃ）のようにキャップ２８を肉薄部２８ａより切断して露出する点で針カバー付翼付針２１Ａと異なる。
【０００９】
本発明では針カバー１及びキャップ付針カバー７１（８１）の外面に形成する凸部７ａ、７ｂ、７ｃの形状、形成する位置及び装着する数は、図示したものに限定されず、要するに作業者が針カバー１を把持しやすい形状等であれば何でも採用することができる。
針カバー１及び針カバー付翼付針１Ａ、２１Ａ、３１Ａ及び針キャップ付針カバー７１（８１）の後方部４の上部から凸部７ｃに亘り溝２２を形成し、さらに該溝２２の後方部に対向するように突部２３ａ、２３ｂを形成することで、例えば翼付針１２を装着した針カバー付翼付針１Ａ、２１Ａ、３１Ａの後方部４の後方に引っ張ったチューブ１４が突部２３ａ、２３ｂを通過し溝部２２に挟持し容易に固定でき針１２の突出を防ぐことができる。
【００１０】
本発明で「スライド」させるとは針カバー１及びキャップ付針カバー７１（８１）を基点として翼付針１０を針カバー１及びキャップ付針カバー７１（８１）の後方に向けてスライドさせることはもちろん、翼付針１０を基点として針カバー１及びキャップ付針カバー７１（８１）を翼付針１０の前方に向けてスライドさせることの両方の意味を含む。
本発明では図３の使用方法の説明の便宜上、主に前者で記載しているが、後者のように使用することができる。
また本発明で図示した前方部２、中腹部３、後方部４の各領域は一応の目安であり、要するに凸部７ａを形成した領域が前方部２であり、凸部７ｂと開口部５とストッパー８を形成した領域が中腹部３であり、凸部７ｃとスリット９を形成した領域が後方部４である。したがって凸部７ａ、７ｂ、７ｃ、スリット９を形成する位置、開口部５の長さにより、前方部２、中腹部３、後方部４の各領域は変動しても良い。
【００１１】
前記針カバー１及びキャップ付針カバー７１（８１）に使用される材質は例えばポリプロピレン、ポリエチレン、ポリ塩化ビニル、ポリアセテート等の半硬質ないし硬質製であれば何でも良い。
【００１２】
【発明の作用効果】
本発明の針カバー及びキャップ付針カバー並びに針カバー付翼付針では、
（１）翼付針１０を針カバー１及びキャップ付針カバー７１（８１）の前方部２方向または逆方向に単に直線的にスライドさせることにより針を被冠することができるので操作性が良い。
（２）針カバー１及びキャップ付針カバー７１（８１）の外面に凸部７ａ、７ｂ、７ｃを形成しているので作業中に固定しやすく、翼付針１０をスライドさせやすい。
（３）キャップ付針カバー８１は針の保護と針カバーのスライドを一部品で同時に行うことができるので、部品点数を少数化でき、操作性も向上する。
（４）（ａ）針カバー１及びキャップ付針カバー７１（８１）と翼付針１０の組み立て時では針カバー１及びキャップ付針カバー７１（８１）と翼付針１０を動かないように固定でき、（ｂ）使用時には針キャップ１６（キャップ１８、２８）をとりはずすことにより針１２を針カバー１及びキャップ付針カバー７１（８１）から容易に露出でき、（ｃ）使用後には翼付針１０が針カバー１及びキャップ付針カバー７１（８１）の前方部２方向に動かないように固定できる、すなわち翼付針１０のチューブ１５を針カバー１及びキャップ付針カバー７１（８１）の後方部４の上部から凸部７ｃに亘り形成した溝２２に突部２３ａ、２３ｂを介して挟持して固定することにより針１２の露出を防止することができ、廃棄の際の医療従事者や廃棄企業者が作業中に誤って刺してしまう危険を防ぐことができる。
【図面の簡単な説明】
【図１】本発明の針カバーの一例を示す概略図（ａ）は本発明の針カバー１の正面斜視図、（ｂ）は背面斜視図、（ｃ）は同（ａ）を１８０°反対方向から見た斜視図、（ｄ）は同（ｂ）を１８０°反対方向から見た斜視図
【図２】図１の針カバー１を翼付針１０に装着したところの針カバー付翼付針１Ａの断面図
【図３】針カバー付翼付針１Ａの使用方法の一例について時系列（（ａ）から（ｆ））に示した斜視図、（ｆ１）は前記（ｆ）の凸部７ｃ近傍の拡大図
【図４】本発明のキャップ付針カバーの一例を示す概略図（ａ）は本発明のキャップ付針カバー７１の正面斜視図、（ｂ）は背面斜視図、（ｃ）は同（ａ）を１８０°反対方向から見た斜視図、（ｄ）は同（ｂ）を１８０°反対方向から見た斜視図
【図５】図４のキャップ付針カバー７１を翼付針１０に装着したところの針カバー付翼付針２１Ａの断面図
【図６】針カバー付翼付針２１Ａの使用方法の一例について時系列（（ａ）から（ｆ））に示した斜視図、（ｆ１）は前記（ｆ）の凸部７ｃ近傍の拡大図
【図７】本発明のキャップ付針カバーの一例を示す概略図（ａ）は本発明のキャップ付針カバー８１の正面斜視図、（ｂ）は背面斜視図、（ｃ）は同（ａ）を１８０°反対方向から見た斜視図、（ｄ）は同（ｂ）を１８０°反対方向から見た斜視図
【図８】本発明のその他の実施例を示すキャップ付針カバー８１を翼付針１０に装着したところの針カバー付翼付針３１Ａの断面図
【図９】針カバー付翼付針３１Ａの使用方法の一例について時系列（（ａ）から（ｆ））に示した斜視図、（ｆ１）は前記（ｆ）の凸部７ｃ近傍の拡大図
【符号の説明】
１  針カバー
７１、８１  キャップ付針カバー
１Ａ、２１Ａ、３１Ａ  針カバー付翼付針
２  前方部
３  中腹部
４  後方部
５  開口部
６  （針カバー後方の）開口部
７ａ  前方凸部
７ｂ  中腹凸部
７ｃ  後方凸部
８  ストッパー
８ａ  切欠部
９  スリット
１０  翼付針
１２  針
１３  針基
１４  翼部
１５  チューブ
１６  針キャップ
１８、２８  キャップ
２２  溝部
２２ａ  切欠部
２３ａ、２３ｂ突部
２８ａ  肉薄部
【図１】
0004137426.tif 000002
【図２】
0004137426.tif 000003
【図３】
0004137426.tif 000004
【図４】
0004137426.tif 000005
【図５】
0004137426.tif 000006
【図６】
0004137426.tif 000007
【図７】
0004137426.tif 000008
【図８】
0004137426.tif 000009
【図９】
0004137426.tif 000010